(57)【要約】      （修正有）【課題】収容棚における全ての納骨収容筒の視認を可能にするとともに、保管する納骨容器の数量を飛躍的に増加させる納骨堂を提供する。【解決手段】納骨堂は、床面に設けられた参拝エリア１０と、複数の納骨容器を収容するための納骨収容筒２１と、納骨収容筒を保持する複数の階段状収容棚２２と、階段状収容棚を保持する正面壁Ｗを有し、所定の点Ｐ１〜Ｐ４を直線で結んでなる方形の範囲内における任意の点から各納骨収容筒までを結ぶ直線が遮蔽されていないことを特徴とする。【選択図】図１
0003228707.tif 000002
【実用新案登録請求の範囲】
【請求項１】
床面に設けられた参拝エリアと、納骨容器を収容するための複数の納骨収容筒と、当該納骨収容筒を保持する複数の階段状収容棚と、当該階段状収容棚を保持する正面壁を有する納骨堂であって、
前記複数の納骨収容筒が、当該収容棚の各段に保持され、
参拝エリア上において、下記に定義される点Ｐ１〜Ｐ４を直線で結んでなる方形の範囲内における任意の点から各納骨収容筒までを結ぶ直線が遮蔽されていないことを特徴とする納骨堂。
点Ｐ１（Ｘ１，Ｙ１）：参拝エリアの最前端（Ｘ１）上の最低座位目線での高さ（Ｙ１）
点Ｐ２（Ｘ１，Ｙ２）：参拝エリアの最前端（Ｘ１）上の最高立位目線での高さ（Ｙ２）
点Ｐ３（Ｘ２，Ｙ１）：参拝エリアの最後端（Ｘ２）上の最低座位目線での高さ（Ｙ１）
点Ｐ４（Ｘ２，Ｙ２）：参拝エリアの最後端（Ｘ２）上の最高立位目線での高さ（Ｙ２）
【考案の詳細な説明】
【技術分野】
【０００１】
本考案は、収容棚における全ての納骨収容筒の視認を可能にするとともに、保管する納骨容器の数量を飛躍的に増加させる納骨堂に関する。
【背景技術】
【０００２】
宗教あるいは宗派などにより、形式が異なる場合はあるものの、形式としては、遺体を火葬し、故人の遺骨を骨壺に入れた後、当該骨壺を墓地へ埋葬するのが一般的である。
寺院が広大な墓地を有する、地方の寺院であれば、顕著な問題は生じていないものの、都市部では墓地不足が問題となっている。そのため、室内に骨壺を保管する納骨堂のケースも増加傾向にあり、現在（２０２０年）から将来にわたって、人口ボリュームゾーンの世代（いわゆる団塊の世代など）が死去するに伴い、この問題は益々顕著なものとなると予想できる。
【０００３】
このように顕在化している墓地不足の問題の解決策として、たとえば、遺骨を骨壺内に保管し、彼岸やお盆などの参拝時期に、寺院関係者は、適宜、特定の骨壺を参拝者に提示して参拝させることもあるが、十分に骨壺を収容できず、参拝者が、相当の時間（寺院関係者の準備時間）待機させられるという問題が生じる。
【０００４】
この問題への対策として、特許文献１では、待機時間を短縮するために、自動納骨堂参拝装置が提案されている。
【０００５】
【先行技術文献】
【特許文献】
【０００６】
【特許文献１】特開２０１７−３１７４２号公報
【考案の概要】
【考案が解決しようとする課題】
【０００７】
しかし、特許文献１で開示された発明では、参拝者の待機時間を短縮する点ではある程度の解決が見込まれるものの、寺院の礼拝堂における骨壺の収容能力を向上させるものではない。
【０００８】
そこで、本考案者は、礼拝堂の内部構造について鋭意検討の結果、骨壺を収容する収容棚を階段状に構成して壁面に設置するとともに、参拝エリアにおける任意の点からの直線上に遮蔽するものがない状態とすることで、参拝者は、収容棚における納骨収容筒を全て視認することができ、また、収容棚で保管する納骨容器の数量を飛躍的に増加させることができることを見出した。
【０００９】
すなわち、本考案は、収容棚における全ての納骨収容筒の視認を可能にするとともに、保管する納骨容器の数量を飛躍的に増加させる納骨堂を提供することを目的とする。
【課題を解決するための手段】
【００１０】
本考案に係る納骨堂は、
床面に設けられた参拝エリアと、納骨容器を収容するための複数の納骨収容筒と、当該納骨収容筒を保持する複数の階段状収容棚と、当該階段状収容棚を保持する正面壁を有する納骨堂であって、
前記複数の納骨収容筒が、当該収容棚の各段に保持され、
参拝エリア上において、下記に定義される点Ｐ１〜Ｐ４を直線で結んでなる方形の範囲内における任意の点から各納骨収容筒までを結ぶ直線が遮蔽されていないことを特徴とする。
点Ｐ１（Ｘ１，Ｙ１）：参拝エリアの最前端（Ｘ１）上の最低座位目線での高さ（Ｙ１）
点Ｐ２（Ｘ１，Ｙ２）：参拝エリアの最前端（Ｘ１）上の最高立位目線での高さ（Ｙ２）
点Ｐ３（Ｘ２，Ｙ１）：参拝エリアの最後端（Ｘ２）上の最低座位目線での高さ（Ｙ１）
点Ｐ４（Ｘ２，Ｙ２）：参拝エリアの最後端（Ｘ２）上の最高立位目線での高さ（Ｙ２）
【００１１】
【図面の簡単な説明】
【００１２】
【図１】図１は、本考案に係る納骨堂の一態様を示すための図である。
【００１３】
【図２】図２は、本考案の納骨堂を構成する収容棚の一態様を示すための図である。
【００１４】
【図３】図３は、本考案の納骨堂の使用態様を示すための図である。
【考案を実施するための形態】
【００１５】
以下、本考案に係る納骨堂について、適宜図面を参照しながら説明するが、本考案に係る納骨堂の技術的範囲は、これに限定されるものではない。
【００１６】
図１に示されるように、本考案に係る納骨堂は、参拝エリア１０と、複数の納骨収容筒２１と、複数の階段状収容棚２２と、当該階段状収容棚２２を保持する正面壁Ｗとを有し、必要に応じてその他の構造物や部材等を有していてもよい。なお、納骨容器、納骨収容筒、階段状収容棚などの材質は特に限定されないが、たとえば、ステンレスやチタン等が挙げられ、コストや耐用年数などを考慮の上適宜選択することができる。
【００１７】
ここで、参拝エリア１０は、図１に示されるように、通常、納骨堂の屋内の床面Ｆに設けられており、上記条件を満たす範囲で画定される。また、納骨収容筒２１は、図１および図２に示されるように、納骨容器２０を収容するために、たとえば、階段状収容棚２２に全部又は部分的に埋設されている。
【００１８】
また、階段状収容棚２２は、図２に示されるように、正面壁Ｗ（通常、納骨堂の屋内の入り口から最も奥に位置する壁）に、複数保持されている。さらには、階段状収容棚２２は、階段状の構造を有する棚であり、各棚において、納骨収容筒２１が設けられており、当該納骨収容筒２１に、納骨容器２０が収容されている。
また、納骨収容筒又は階段状収容棚に、ＬＥＤなどの発光装置が設置され、参拝者の参拝対象の納骨容器がある場所を光で表示することが可能である。
なお、図１〜２では、納骨収容筒２１は、蓋付きの態様を示しているが、納骨容器２０を収容することができる限り、特に限定されるものではない。納骨収容筒２１に、納骨標２３を載置させるか又は被覆させることもある。
【００１９】
本考案に係る納骨堂においては、図２に示されるように、参拝エリア上において、下記に定義される点Ｐ１〜Ｐ４を直線で結んでなる方形の範囲内における任意の点から各納骨収容筒までを結ぶ直線が遮蔽されていないことを特徴とする。ここで、「遮蔽されていない」とは、上記方形の範囲内の任意の点から、各納骨収容筒までの直線上に、何らかの物が置かれ、物理的に任意の点から参拝者が各納骨収容筒を見た際に、何らかの物が視線上に入ること（視覚に入ること）がなく、直接的に任意の点から参拝者が各納骨収容筒を視認できることをいう。
点Ｐ１（Ｘ１，Ｙ１）：参拝エリアの最前端（Ｘ１）上の最低座位目線での高さ（Ｙ１）
点Ｐ２（Ｘ１，Ｙ２）：参拝エリアの最前端（Ｘ１）上の最高立位目線での高さ（Ｙ２）
点Ｐ３（Ｘ２，Ｙ１）：参拝エリアの最後端（Ｘ２）上の最低座位目線での高さ（Ｙ１）
点Ｐ４（Ｘ２，Ｙ２）：参拝エリアの最後端（Ｘ２）上の最高立位目線での高さ（Ｙ２）
【００２０】
たとえば、上記方形の範囲内における任意の点Ｑ１およびＱ２から各納骨収容筒までを結ぶ直線（図では破線矢印で示す。）は、何ら遮蔽されていない。このように、本考案に係る納骨堂においては、方形の範囲内の任意の点から各納骨収容筒までを結ぶ直線が遮蔽されていないことを特徴とするため、図３に示されるように、参拝エリア内にある参拝者からは、各納骨収容筒をすべて視認できるという効果を発揮する。
【００２１】
Ｘ１〜２、Ｙ１〜２は、上述のように一般的に定義されるが、具体例としては、以下のように定義される。
【００２２】
まず、Ｘ１は、参拝エリアにおいて、最も階段状収容棚に近い位置、換言すれば、最も正面壁に近い位置を示し、たとえば、階段状収容棚から６０ｃｍ離れた位置が挙げられる。
Ｘ２は、参拝エリアにおいて、最も階段状収容棚に遠い位置、換言すれば、最も正面壁に遠い位置を示し、たとえば、反対壁面（正面壁に対向する壁面）から６０ｃｍ離れた位置が挙げられる。
【００２３】
Ｙ１およびＹ２は、図２に示すように床面Ｆ（参拝エリアの床面）からの高さ（垂直位置の高さ）を示し、それぞれ、座位での最低の目線の高さおよび立位での最高の目線の高さを示すものである。
Ｙ１は、通常、１００ｃｍである。すなわち、Ｐ１およびＰ３は、床面Ｆから高さ１００ｃｍの位置にある。この高さは、８歳児童が椅子に座った際の目線の高さの平均値に相当する（椅子の高さの平均（約４０ｃｍ）＋座高平均（約７０ｃｍ）−頭頂から目までの長さの平均（約１０ｃｍ））。一方、Ｙ２は、通常、１７０ｃｍである。この高さは、高身長者が立った際の目線の高さの平均値に相当する（身長（約１８０ｃｍ）頭頂から目までの長さ平均（約１０ｃｍ））。
【００２４】
なお、点Ｐ１〜Ｐ４のすべての点から各納骨収容筒までを結ぶ直線が遮蔽されていない場合、上記方形の範囲内における任意の点（例：図１の付番Ｑ１，Ｑ２）から各納骨収容筒までを結ぶ直線は、何ら遮蔽されていないという条件を満たす。
階段状収容棚２２の各棚の断面の形状は、各棚の最上段に保持された納骨収容筒の上部と、点Ｐ１〜Ｐ４の各点を結んでなる多角形（複数の三角形と方形が合成された図形）の外側にある限り自由である。各棚の傾斜角および奥行は同じではない。納骨棚の断面の面積が大きいほど、内部の容積が大きくなるため、納骨容器を収容できる数量が多くなる。
【産業上の利用可能性】
【００２５】
本考案によれば、収容棚における納骨収容筒を全て視認することができ、また、収容棚で保管する納骨容器の数量を飛躍的に増加させること納骨堂を提供することができる。
【符号の説明】
【００２６】
１０：参拝エリア
２０：納骨容器
２１：納骨収容筒
２２：階段状収容棚
２３：納骨標
Ｘ１：  参拝エリアの最前端
Ｘ２：参拝エリアの最後端
Ｙ１：  最低座位目線での高さ
Ｙ２：最高立位目線での高さ
Ｐ１：参拝エリアの最前端（Ｘ１）上の最低座位目線での高さ（Ｙ１）
Ｐ２：参拝エリアの最前端（Ｘ１）上の最高立位目線での高さ（Ｙ２）
Ｐ３：参拝エリアの最後端（Ｘ２）上の最低座位目線での高さ（Ｙ１）
Ｐ４：参拝エリアの最後端（Ｘ２）上の最高立位目線での高さ（Ｙ２）
Ｑ１、Ｑ２：任意の点
Ｆ：納骨堂の屋内床面
Ｗ：正面壁
【図１】
0003228707.tif 000003
【図２】
0003228707.tif 000004
【図３】
0003228707.tif 000005